(57)【要約】【課題】簡素な構成で安全性の高い電源装置および照明装置を提供する。【解決手段】実施形態に係る電源装置は、交流電圧を入力して直流電圧を出力する電力変換部と、前記電力変換部の入力を監視する制御部と、前記制御部を動作させる電力を供給する第１出力および前記電力変換部の動作を制御する制御回路を動作させる電力を供給する第２出力を同一のトランスによって生成して出力する補助電源部と、を備える。【選択図】図１
2017158291.tif 000002
【特許請求の範囲】
【請求項１】
交流電圧を入力して直流電圧を出力する電力変換部と、
前記電力変換部の入力を監視する制御部と、
前記制御部を動作させる電力を供給する第１出力および前記電力変換部の動作を制御する制御回路を動作させる電力を供給する第２出力を同一のトランスによって生成して出力する補助電源部と、
を備えた電源装置。
【請求項２】
前記電力変換部は、
前記交流電圧を入力して前記直流電圧とは異なる電圧値の第１直流電圧を出力する第１電力変換部と、
前記第１電力変換部から前記第１直流電圧を供給されて前記直流電圧を出力する第２電力変換部と、
を含み、  
前記補助電源部は、前記第１直流電圧を供給されて前記第１出力および前記第２出力を生成する請求項１記載の電源装置。
【請求項３】
前記第１出力は、前記第２出力よりも早く起動する請求項２記載の電源装置。
【請求項４】
前記第１電力変換部への突入電流を防止する突入電流防止回路をさらに備え、
前記突入電流防止回路は、前記第２出力が起動することによって動作する請求項２または３に記載の電源装置。
【請求項５】
前記突入電流防止回路は、
前記交流電源と前記第１電力変換部との間に挿入されたサーミスタと、
前記第２出力が起動することによって前記サーミスタの両端を短絡するスイッチを含むリレーと、
を含む請求項４記載の電源装置。
【請求項６】
前記サーミスタは、ＰＴＣサーミスタである請求項５記載の電源装置。
【請求項７】
請求項１〜６のいずれか１つに記載された電源装置と、
前記電源装置から供給される直流電力によって点灯する照明負荷と、
を備えた照明装置。
【発明の詳細な説明】
【技術分野】
【０００１】
本発明の実施形態は、電源装置および照明装置に関する。
【背景技術】
【０００２】
照明ユニットを点灯させる電源装置の場合には、照明ユニットに供給するための電力変換のほか、照明ユニットの光量を設定するための調光信号を入力して処理する制御回路が搭載される場合がある。
【０００３】
電源装置の出力容量が大きい場合には、ＰＦＣ回路等、複数の電源回路が混載され、各部の動作のための電源供給は複雑化する。そのため、電源装置の安全対策を充実させる必要性も高くなる一方で、回路構成が複雑化する。
【先行技術文献】
【特許文献】
【０００４】
【特許文献１】特許第５７１５５２２号公報
【発明の概要】
【発明が解決しようとする課題】
【０００５】
実施形態は、簡素な構成で安全性の高い電源装置および照明装置を提供する。
【課題を解決するための手段】
【０００６】
実施形態に係る電源装置は、交流電圧を入力して直流電圧を出力する電力変換部と、前記電力変換部の入力を監視する制御部と、前記制御部を動作させる電力を供給する第１出力および前記電力変換部の動作を制御する制御回路を動作させる電力を供給する第２出力を同一のトランスによって生成して出力する補助電源部と、を備える。
【発明の効果】
【０００７】
本実施形態では、電力変換部の入力を監視する制御部のための電源を、電力変換部の動作を制御する制御回路を動作させる電力を供給する電源とは、別々に供給する一方で、これらを同一のトランスによって生成するので、簡素な構成で安全性の高い電源装置を実現することができる。
【図面の簡単な説明】
【０００８】
【図１】実施形態に係る電源装置を例示するブロック図である。
【図２】実施形態の電源装置の一部である突入電流防止回路を例示するブロック図である。
【図３】実施形態の電源装置の一部である補助電源部を例示するブロック図である。
【図４】図４（ａ）および図４（ｂ）は、電源装置の動作を説明するための各部の動作波形例である。
【発明を実施するための形態】
【０００９】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１０】
図１は、本実施形態に係る電源装置を例示するブロック図である。
図２は、本実施形態の電源装置の一部である突入電流防止回路を例示するブロック図である。
図３は、本実施形態の電源装置の一部である補助電源部を例示するブロック図である。
図１に示すように、本実施形態の電源装置１０は、ＡＣ−ＤＣ変換部２０と、ＤＣ−ＤＣ変換部３０と、制御部４０と、突入電流防止回路５０と、補助電源部６０と、を備える。
【００１１】
電源装置１０は、交流入力端子１１ａ，１１ｂと、直流出力端子１１ｃ，１１ｄと、調光信号入力端子１１ｅと、含む。電源装置１０は、交流入力端子１１ａ，１１ｂを介して交流電源１に接続される。交流電源１は、たとえば商用電源である。交流電源１は、実効値が１００Ｖまたは２００Ｖの交流電圧を５０Ｈｚまたは６０Ｈｚで電源装置１０に供給する。
【００１２】
電源装置１０は、直流出力端子１１ｃ，１１ｄを介して照明ユニット７０に接続される。照明ユニット７０は、たとえば発光素子７２を含む。発光素子７２は、たとえば半導体発光素子（Light Emitting Diode）や、有機発光素子（Organic Light Emitting Diode）等である。
【００１３】
電源装置１０は、調光信号入力端子１１ｅを介して、調光装置２に接続される。電源装置１０は、調光信号入力端子１１ｅを介して、調光装置２から出力される調光信号Ｓｄを受信する。
【００１４】
調光信号Ｓｄは、電源装置１０によって点灯される照明ユニット７０の光量を示す調光度Ｄを設定する信号である。たとえば、調光信号Ｓｄが最小の調光度Ｄｍｉｎを示す場合には、照明ユニット７０の光量は最小となる。このときには、照明ユニット７０に流れる出力電流は最小値に設定され、照明ユニット７０は消灯状態となる。調光信号Ｓｄが最大の調光度Ｄｍａｘを示す場合には、照明ユニット７０の光量は最大となる。このときには、照明ユニット７０に流れる出力電流は最大値に設定され、照明ユニット７０は全点灯状態となる。
【００１５】
調光装置２は、入力された調光度Ｄの設定値等にしたがって、調光信号Ｓｄを生成し、出力する。生成される調光信号Ｓｄは、アナログ値であってもよく、ディジタル値であってもよい。調光信号Ｓｄは、たとえば照明ユニット７０の光量に応じて増大する電圧値を有するアナログ信号であり、あるいはＤＡＬＩ（Digital Addressable Lighting Interface）等にもとづくデータを含む信号等である。
【００１６】
電源装置１０は、交流電源１から交流電力の供給を受けて、交流電力を直流電力に変換して出力する。出力される直流電力は、照明ユニット７０に供給される。照明ユニット７０の光量は、調光装置２からの調光信号Ｓｄにもとづいて設定される。
【００１７】
他の実施形態では、照明装置１００は、電源装置１０と、照明ユニット７０と、を備え、電源装置１０および照明ユニット７０は、一体または電気的に接続されている。
【００１８】
電源装置１０の各部の構成について説明する。
ＡＣ−ＤＣ変換部２０は、交流入力端子１１ａ，１１ｂを介して交流電源１に接続される。ＡＣ−ＤＣ変換部２０は、整流回路２１と、力率改善回路２２と、を含む。整流回路２１および力率改善回路２２は、この順で縦続に接続されている。
【００１９】
整流回路２１は、交流電圧を整流して脈流を出力する。力率改善回路（Power Factor Correction、以下、ＰＦＣ回路ともいう。）２２は、脈流を入力して、昇圧された直流電圧に変換して出力する。ＰＦＣ回路２２は、スイッチング素子２３と、ダイオード２４と、コイル２５と、平滑コンデンサ２６と、制御回路２７と、を含む。スイッチング素子２３は、制御端子（たとえばＭＯＳＦＥＴのゲート端子）を介して制御回路２７によって駆動される。スイッチング素子２３は、制御回路２７によって設定されるオン時間またはオフ時間でスイッチングする。
【００２０】
ＰＦＣ回路２２は、入力される脈流の電圧が低いときには、スイッチング素子２３がオンする期間が長く、脈流の電圧が高いときにはスイッチング素子２３がオンする期間が短くなるように動作する。そのため、平滑コンデンサ２６に入力される電流波形の歪が低減され、高調波が抑制される。
【００２１】
制御回路２７は、スイッチング素子２３を駆動するための駆動回路を含んでいる。駆動回路のために、制御回路２７は、たとえば５Ｖより高い電源電圧を供給されて動作する。制御回路２７の電源電圧は、平滑コンデンサ２６の低電位側の端子を基準にして、たとえば１５Ｖである。
【００２２】
ＰＦＣ回路２２は、昇圧電源回路に限らず、昇降圧電源回路や降圧電源回路であってもよい。また、ＰＦＣ回路２２は、ＡＣ−ＤＣ変換部２０の出力電力容量が大きい場合、たとえば２５Ｗを超える場合に用いられる。ＡＣ−ＤＣ変換部２０の出力電力容量が、たとえば２５Ｗ以下の場合には、ＰＦＣ回路２２を用いずに、整流回路２１の出力をそのまま平滑コンデンサ２６に接続するようにしてもよい。
【００２３】
ＤＣ−ＤＣ変換部３０は、ＡＣ−ＤＣ変換部２０の出力に接続されている。つまり、ＡＣ−ＤＣ変換部２０およびＤＣ−ＤＣ変換部３０は、縦続に接続されている。
【００２４】
この例では、ＤＣ−ＤＣ変換部３０は、降圧電源回路である。ＤＣ−ＤＣ変換部３０は、スイッチング素子３１と、ダイオード３２と、コイル３３と、出力コンデンサ３４と、制御回路３５と、を含む。直列に接続されたスイッチング素子３１およびダイオード３２がＡＣ−ＤＣ変換部２０の出力に並列に接続されている。スイッチング素子３１およびダイオード３２の接続ノードは、コイル３３の一方の端子に接続されている。コイル３３の他方の端子は、出力コンデンサ３４の高電位側の端子を介して、高電位側の直流出力端子１１ｃに接続されている。出力コンデンサ３４の低電位側の端子は、低電位側の直流出力端子１１ｄに接続されている。
【００２５】
スイッチング素子３１は、ｎチャネルＭＯＳＦＥＴである。制御回路３５は、ｎチャネルＭＯＳＦＥＴのゲートソース間を駆動する電圧を印加する。そのため、制御回路３５が動作するための電源は、スイッチング素子３１およびダイオード３２の接続ノード、つまりｎチャネルＭＯＳＦＥＴのソース端子の電位を基準に供給される。この電源Ｖｃｃ３は、上述のＰＦＣ回路２２の制御回路２７の動作のために供給される電源から絶縁されたフローティング電源である。
【００２６】
制御回路３５は、スイッチング素子３１およびダイオード３２の接続ノードを基準電位にして動作するので、ｎチャネルＭＯＳＦＥＴ（スイッチング素子３１）のゲートソース間にＶｃｃ３程度の駆動電圧を印加することができる。Ｖｃｃ３の大きさは、たとえば１５Ｖ程度である。
【００２７】
なお、図示しないが、ＤＣ−ＤＣ変換部３０の出力電流や出力電圧の検出回路は、低電位側の直流出力端子１１ｄを基準電位として動作する。そのため、制御回路３５との制御信号Ｖｄ等の伝達については、フォトカプラやトランス等の信号伝達デバイスを用いて行われる。
【００２８】
制御部４０は、たとえば外部から供給される調光信号Ｓｄを受信して、調光信号Ｓｄに含まれる調光度に応じた電圧値Ｖｄに変換して出力する。変換された電圧は、ＤＣ−ＤＣ変換部３０に供給されて、ＤＣ−ＤＣ変換部３０は、調光度に応じた出力電流を設定する。
【００２９】
制御部４０は、入力電圧Ｖｉｎの値を検出できるように接続されている。入力電圧Ｖｉｎは、整流回路２１の直流出力端子間の電圧である。制御部４０は、突入電流防止回路５０に接続されている。制御部４０は、電源装置１０の入力電圧Ｖｉｎを監視して、入力電圧Ｖｉｎが所定の電圧以下の場合には、突入電流防止回路５０を動作させて、平滑コンデンサ２６への充電電流を制限する。制御部４０は、入力電圧Ｖｉｎが所定の電圧値に到達したときに、突入電流防止回路５０の動作を停止する。
【００３０】
制御部４０は、入力電圧Ｖｉｎを監視して、入力電圧Ｖｉｎに異常があるときには、電源装置１０の動作を停止する。具体的には、ＰＦＣ回路２２の電源は、保護スイッチ回路４１を介して供給され、保護スイッチ回路４１は、入力電圧Ｖｉｎに異常があるときには、ＰＦＣ用電源Ｖｃｃ２を遮断する。ＰＦＣ回路２２の制御回路２７には、ＰＦＣ用電源Ｖｃｃ２が供給されないので、ＡＣ−ＤＣ変換部２０は、動作を停止する。ＡＣ−ＤＣ変換部２０が昇圧動作を行わないため、ＤＣ−ＤＣ変換部３０は、動作を開始することができず、結局電源装置１０は動作を停止する。
【００３１】
制御部４０は、他の保護機能等を含むようにしてもよい。たとえば、電源装置１０の出力電圧や出力電流の異常を監視し、異常時には、ＡＣ−ＤＣ変換部２０やＤＣ−ＤＣ変換部３０の動作を停止させるようにしてもよい。
【００３２】
制御部４０は、上述したＰＦＣ用電源Ｖｃｃ２やフローティング電源Ｖｃｃ３よりも低い電圧の制御用電源Ｖｃｃ１で動作する。制御用電源Ｖｃｃ１の電圧値は、たとえば５Ｖや、３．３Ｖ等である。
【００３３】
制御部４０は、たとえばマイクロコンピュータと、メモリと、を含む（図示せず）。制御部４０は、メモリに格納されたプログラムにしたがって、電源装置１０の入力電圧を監視し、保護動作を実行する。制御部４０は、プログラムにしたがって、調光信号を調光度を表す制御電圧に変換する。
【００３４】
突入電流防止回路５０は、交流入力端子１１ａと整流回路２１との間に直列に接続されている。突入電流防止回路５０は、交流入力端子１１ｂと整流回路２１との間に直列に接続されていてもよい。図２に示すように、突入電流防止回路５０は、ＰＴＣ（Positive Temperature Coefficient）サーミスタ５１と、リレー５２と、を含む。ＰＴＣサーミスタ５１およびリレー５２は、並列に接続されている。
【００３５】
リレー５２は、保護スイッチ回路４１によって動作をし、動作を停止する。保護スイッチ回路４１は、アクティブな駆動信号Ｄ０が入力されたときに、リレー５２の接点を閉じる。保護スイッチ回路４１は、非アクティブな駆動信号Ｄ０が入力されたときに、リレー５２の接点を開放する。
【００３６】
たとえば、保護スイッチ回路４１は、ＰＦＣ用電源Ｖｃｃ２とリレー５２との間に接続されたスイッチＳを含む。このスイッチＳは、制御部４０から出力される駆動信号Ｄ０によってオンまたはオフする。駆動信号Ｄ０がアクティブな場合に、スイッチＳはオンし、リレー５２にＰＦＣ用電源Ｖｃｃ２を供給する。そのためリレー５２は、接点を閉じるように動作する。駆動信号Ｄ０が非アクティブな場合には、スイッチＳはオフし、リレー５２の接点は開放される。
【００３７】
補助電源部６０は、ＡＣ−ＤＣ変換部２０の出力を入力する。補助電源部６０は、ＡＣ−ＤＣ変換部２０から出力される直流電圧から電源Ｖｃｃ１，Ｖｃｃ２，Ｖｃｃ３を生成して、各部に供給する。入力コンデンサＣＩＮは、補助電源部６０の入力側の電圧をある程度安定化させるために設けられている。ＡＣ−ＤＣ変換部２０の平滑コンデンサ２６と兼用するようにして省略してもよい。
【００３８】
図３に示すように、補助電源部６０は、たとえばフライバック形式の電源回路と、電圧レギュレータと、を含む。補助電源部６０は、スイッチング素子６１と、制御回路６２と、トランス６３と、を含む。補助電源部６０は、スイッチング素子６１によってトランス６３の一次巻線を駆動し、２つの二次巻線から複数の電源を生成する。制御用電源Ｖｃｃ１およびＰＦＣ用電源Ｖｃｃ２は、１つの二次巻線から生成される。ＰＦＣ用電源Ｖｃｃ２は、トランス６３の二次巻線に接続されたダイオード６４、出力コンデンサ６５によって生成される。ＰＦＣ用電源Ｖｃｃ２は、フィードバック回路６６を介して制御回路６２に接続され、安定化される。
【００３９】
制御用電源Ｖｃｃ１は、ＰＦＣ用電源Ｖｃｃ２を入力する電圧レギュレータ６７によって生成される。
【００４０】
フローティング電源Ｖｃｃ３は、トランス６３の他方の二次巻線によって生成される。他方の二次巻線には、ダイオード６８および出力コンデンサ６９が接続されている。この巻線からは、低電位側の電位Ｖｃｃ３−から高電位側の電位Ｖｃｃ３＋に向かって正の電圧（フローティング電源Ｖｃｃ３）が出力される。フローティング電源Ｖｃｃ３は、フィードバックによる安定化は行われないが、フライバック形式の電源のクロスレギュレーションにより、ある程度の安定化が図られる。
【００４１】
これらの電源は、１つの補助電源部６０のトランスに巻回された複数の二次巻線によって生成されるので、ほぼ同一の立上り速度で起動する。上述したとおり、ＰＦＣ用電源Ｖｃｃ２およびフローティング電源Ｖｃｃ３は、制御用電源Ｖｃｃ１よりも高い電圧値を有する。そのため、制御用電源Ｖｃｃ１は、他の電源よりも先に起動するので、制御部４０の動作が確定する。そのため、制御部４０は、他の部分の監視等を行うことができる。
【００４２】
本実施形態の電源装置１０の動作について説明する。
図４（ａ）および図４（ｂ）は、電源装置の動作を説明するための各部の動作波形例である。
図４（ａ）では、電源装置１０が正常に起動する場合を表しており、図４（ｂ）では、電源装置１０等に異常がある場合を表している。
【００４３】
まず、電源装置１０が正常に起動する場合について説明する。
図４（ａ）および図４（ｂ）の最上段の波形は、整流回路２１から出力される脈流のピーク値の時間変化を表している。
図４（ａ）および図４（ｂ）の２段目の波形は、制御用電源Ｖｃｃ１の時間変化を表している。
図４（ａ）および図４（ｂ）の３段目の波形は、ＰＦＣ用電源Ｖｃｃ２およびフローティング電源Ｖｃｃ３の時間変化を表している。
図４（ａ）および図４（ｂ）の４段目の波形は、制御部４０が保護スイッチ回路４１に供給する駆動信号の出力を表しており、ハイレベルでアクティブ、ローレベルで非アクティブであることを示す。
図４（ａ）および図４（ｂ）の５段目の波形は、ＰＦＣ回路２２の制御回路２７に印加される電源Ｖｃｃ２の波形（スイッチＳの出力の波形）を表している。
図４（ａ）および図４（ｂ）の最下段の波形は、リレー５２の動作波形を表しており、ＯＦＦ状態でリレー５２が開放され、ＯＮ状態でリレー５２が閉じていることを示す。
【００４４】
図４の最上段の動作波形に示すように、時刻ｔ０において、交流電源１が電源装置１０に投入される。
【００４５】
図４（ａ）の２段目、３段目の動作波形に示すように、時刻ｔ１において、補助電源部６０の入力電圧が起動電圧に達して、補助電源部６０が起動し、各出力が立上る。
【００４６】
その後、交流電源１から供給される交流電圧が次第に上昇し、時刻ｔ３において、整流回路２１の出力電圧が所定のしきい値Ｖｔに到達したときに、制御部４０は、アクティブな駆動信号Ｄ０を出力する（図４の４段目の動作波形）。
【００４７】
時刻ｔ０〜ｔ３の期間では、制御部４０は、アクティブな駆動信号Ｄ０を出力していないので、リレー５２は開放されている。そのため、交流電源１から供給される電流は、ＰＴＣサーミスタ５１を介して平滑コンデンサ２６に流入する。ＰＴＣサーミスタ５１は、正の温度係数の抵抗を有しており、通電によって急速に温度が上昇し、抵抗値が上昇する。そのため、平滑コンデンサ２６に流入する電流のピーク値が抑制される。
【００４８】
保護スイッチ回路４１は、制御部４０からのアクティブな駆動信号Ｄ０を受けて、ＰＦＣ回路２２の制御回路２７にＰＦＣ用電源Ｖｃｃ２を供給する。
【００４９】
図４の最下段の動作波形に示すように、保護スイッチ回路４１は、リレー５２を閉じる。そのため、交流電源１から供給される電流は、リレー５２を介して平滑コンデンサ２６に流入する。ほぼ同時にＰＦＣ回路２２の制御回路２７が動作を開始するので、ＡＣ−ＤＣ変換部２０は、ＰＦＣ動作を正常に開始する。
【００５０】
次に、交流電源１を投入後、電源装置１０に何らかの異常が生じた場合について説明する。
補助電源部６０に異常がない場合には、時刻ｔ０〜ｔ２の期間については、正常起動の場合と同様に動作し、各電源Ｖｃｃ１，Ｖｃｃ２，Ｖｃｃ３は正常に起動する。
【００５１】
図４（ｂ）の最上段の動作波形に示すように、整流回路２１から出力される電圧が所定のしきい値Ｖｔに到達しない場合には、制御部４０は、アクティブな駆動信号Ｄ０を出力しない（図４（ｂ）の４段目の動作波形）。
【００５２】
そのため、図４（ｂ）の５段目の動作波形に示すように、ＰＦＣ回路２２の制御回路２７には、電源が供給されず、ＰＦＣ回路２２は昇圧動作を行わない。
【００５３】
また、図４（ｂ）の最下段の動作波形に示すように、リレー５２にもＰＦＣ用電源Ｖｃｃ２が供給されないので、リレー５２は開放状態が維持される。電源装置１０の交流入力には、ＰＴＣサーミスタ５１が直列に接続されているので、電源装置１０への流入電流は、ＰＴＣサーミスタ５１を介して流入する。つまり、電源装置１０への流入電流は、ＰＴＣサーミスタ５１によって流入が制限される。
【００５４】
たとえば、ＰＦＣ回路２２や平滑コンデンサ２６等に短絡事故等が生じたことによって、入力電圧の上昇が抑制されるような場合には、ＰＴＣサーミスタ５１により流入電流が抑制されるので、過度な発熱等を生じることなく、安全に電源装置１０を停止させることができる。
【００５５】
上述では、起動時に入力電圧Ｖｉｎが上昇しない場合の動作について説明したが、電源装置１０が動作中に、入力電圧Ｖｉｎが低下した場合であっても同様に電源装置１０の動作を停止させることができる。
【００５６】
本実施形態の電源装置１０の作用および効果について説明する。
一般的には、ＡＣ−ＤＣ変換部やＤＣ−ＤＣ変換部等の複数の電源部、あるいは制御部等の動作のための電源供給は、それぞれ構成された電源回路によって行われる。たとえば、ＰＦＣ回路を含むＡＣ−ＤＣ変換部の場合には、昇圧用のコイルに結合させた補助巻線を用いて制御回路用の電源とする場合が多い。そのため、補助巻線による電源が動作するには、ＰＦＣ回路が起動する必要があり、起動不良等を生じる場合がある。
【００５７】
ｎチャネルＭＯＳＦＥＴをハイサイドスイッチに用いたＤＣ−ＤＣ変換部の場合には、フローティング電源を用意する必要があるため、ブートストラップ回路等を用いる。ブートストラップ回路用の電源は、ＰＦＣ回路の補助巻線を用いて生成される。そのため、ＰＦＣ回路に起動不良や動作不良等の問題を生じた場合に、ＤＣ−ＤＣ変換部まで問題が波及するおそれがある。
【００５８】
制御部が動作するための電源もＰＦＣ回路の補助巻線を用いた電源から供給すると、ＰＦＣ回路等に問題が生じると、制御部は何ら異常監視することができなくなり、安全上問題となることがある。
【００５９】
さらに、突入電流防止回路にサイリスタを用いる回路を採用した場合にも、ＰＦＣ回路の補助電源を用いて点弧する必要があり、ＰＦＣ回路の問題が波及し得る。
【００６０】
突入電流防止回路にＮＴＣ（Negative Temperature Coefficient）サーミスタを用いた場合には、電源投入時に電流を抑制することができるが、再起動時に突入電流防止効果が減少する。
【００６１】
本実施形態の電源装置１０では、単一の補助電源部６０が、ＡＣ−ＤＣ変換部２０、ＤＣ−ＤＣ変換部３０および制御部４０に必要な電源をそれぞれ供給するので、各部の動作を確実に行うことができる。
【００６２】
ｎチャネルＭＯＳＦＥＴをハイサイドスイッチに用いたＤＣ−ＤＣ変換部３０であっても、制御回路３５の電源が補助電源部６０によってフローティングで供給されるので、他のブロックの動作にかかわらず、動作を行わせることができる。
【００６３】
制御部４０の電源を最初に確保することができるので、制御部４０は、各部の監視を行うことができ、より高い安全性を実現することができる。
【００６４】
突入電流防止回路５０に、リレー５２を用い、リレー５２の動作をＰＦＣ用電源Ｖｃｃ２によって行うので、ＰＦＣ回路２２に問題があるとき等には、リレー５２を開放することができる。そのため、電源装置１０の動作をフェイルセーフ動作とすることができる。
【００６５】
突入電流防止回路５０は、ＰＴＣサーミスタ５１およびリレー５２の並列回路を含むので、リレー５２が開放状態のときに、ＰＴＣサーミスタ５１を介して電流を流入させることができる。そのため、ＰＴＣサーミスタ５１は、通電により高温となり、流入電流を抑制することができるので、電源装置１０の過度な発熱や過度な発熱にともなう発火等の事故を防止することができる。
【００６６】
以上説明した実施形態によれば、複簡素な構成で安全性の高い電源装置および照明装置を実現することができる。
【００６７】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００６８】
１  交流電源、２  調光装置、１０  電源装置、２０  ＡＣ−ＤＣ変換部、２１  整流回路、２２  ＰＦＣ回路、２３  スイッチング素子、２４  ダイオード、２５  コイル、２６  平滑コンデンサ、２７  制御回路、３０  ＤＣ−ＤＣ変換部、３１  スイッチング素子、３２  ダイオード、３３  コイル、３４  出力コンデンサ、３５  制御回路、４０  制御部、４１  保護スイッチ回路、５０  突入電流防止回路、５１  ＰＴＣサーミスタ、５２  リレー、６０  補助電源部、６１  スイッチング素子、６２  制御回路、６３  トランス、６４  ダイオード、６５  出力コンデンサ、６６  フィードバック回路、６７  電圧レギュレータ、６８  ダイオード、６９  出力コンデンサ、７０  照明ユニット、７２  発光素子、１００  照明装置
【図１】
2017158291.tif 000003
【図２】
2017158291.tif 000004
【図３】
2017158291.tif 000005
【図４】
2017158291.tif 000006